(57)【特許請求の範囲】
【請求項１】
柄部材と清掃部材とを備え、
前記柄部材は、使用者に把持される把持体部と、前記清掃部材を取付ける部分であって扁平な板状に形成された取付部とを備え、
前記清掃部材は、前記取付部を挿抜可能としてその長手方向両側のうち少なくとも一方に挿抜用開口が形成された扁平な袋状芯と、該袋状芯の幅方向の両端において該袋状芯から延長された除塵用繊維群とを備え、
前記袋状芯は、前記取付部の厚み方向で対向する一対の被覆繊維面を備え、
該一対の被覆繊維面は、それぞれ多数本の繊維を前記幅方向に直交する方向である長手方向に並べて多数本の繊維束からなる繊維束群となるよう縫着してなるとともに、該被覆繊維面どうしの幅方向両側が縫着されて該幅方向両側に芯形成用縫着部を備え、
前記繊維束群となるよう縫着した縫着部は、前記幅方向両側の二本の端縫着部と、該二本の端縫着部の間の中間縫着部と、を備え、
前記芯形成用縫着部は、前記端縫着部に隣接して該端縫着部に対して前記幅方向外方に形成され、
前記除塵用繊維群は前記袋状芯に用いられている多数本の繊維とされ、
前記芯形成用縫着部の間の距離が前記取付部の幅に略等しく設定されたことを特徴とする除塵具。
【請求項２】
前記一対の被覆繊維面は、帯状に形成された袋状芯予定繊維面がその長手方向途中部で折曲げられた状態で構成されている請求項１に記載の除塵具。
【請求項３】
前記挿抜用開口において、一対の前記被覆繊維面は互いに長手方向に位置ずれされた請求項１または請求項２に記載の除塵具。
【請求項４】
前記袋状芯を構成する多数本の繊維が幅方向端部で起毛された状態で前記除塵用繊維群が形成され、該除塵用繊維群は、前記袋状芯を幅方向両側から覆うことのできる毛足とされた請求項１ないし請求項３の何れか１項に記載の除塵具。
【発明の詳細な説明】
【技術分野】
【０００１】
本発明は、電化製品や家具等の物品を掃き掃除するための除塵具に関する。
【背景技術】
【０００２】
電化製品や家具等の物品を掃き掃除するためのこの種の除塵具は、例えば下記特許文献１に提案されている。特許文献１の除塵具は、柄部材と、柄部材に着脱自在に取付けられる清掃部材とを備えている。
【０００３】
柄部材は、使用者が把持する把持部と、清掃部材を取付ける部分である装着部とを備えている。装着部は扁平な板状に形成されている。清掃部材は、装着部が挿入される扁平な袋状芯と、袋状芯の両側面に積層された繊維束とを備える。袋状芯は二枚の不織布の周辺を接合して形成されている。袋状芯の長手方向両端部の短辺部分には、係着切込が形成されている。柄部材の装着部には、係着切込に係止される係止突起が形成されている。
【０００４】
特許文献１に記載の除塵具において、清掃部材の袋状芯に柄部材の装着部を挿入するようにし、係止突起を係着切込に係止させることで清掃部材と柄部材とを組付けて除塵具とする。柄部材の把持部を除塵具の使用者が把持して除塵対象物の表面を清掃部材で拭うように使用することで、除塵できる。清掃部材が塵を含んで汚れると、除塵具の使用者は、柄部材から清掃部材を取外してこれを洗うことができる。
【先行技術文献】
【特許文献】
【０００５】
【特許文献１】特開２０１５−５１０９０号公報
【発明の概要】
【発明が解決しようとする課題】
【０００６】
しかしながら、清掃部材の袋状芯は不織布からなる。このため、清掃部材を繰返して洗うと袋状芯が弱体し、係止突起と係着切込との係止力が働かなくなる。そうなると、除塵具の使用中に柄部材から清掃部材が外れてしまう。
【０００７】
そこで本発明は、清掃部材を繰返し洗っても、使用中に柄部材から清掃部材が外れることを抑制できる除塵具の提供を目的とする。
【課題を解決するための手段】
【０００８】
本発明の除塵具は、柄部材と清掃部材とを備え、前記柄部材は、使用者に把持される把持体部と、前記清掃部材を取付ける部分であって扁平な板状に形成された取付部とを備え、前記清掃部材は、前記取付部を挿抜可能としてその長手方向両側のうち少なくとも一方に挿抜用開口が形成された扁平な袋状芯と、該袋状芯の幅方向の両端において該袋状芯から延長された除塵用繊維群とを備え、前記袋状芯は、前記取付部の厚み方向で対向する一対の被覆繊維面を備え、該一対の被覆繊維面は、それぞれ多数本の繊維を前記幅方向に直交する方向である長手方向に並べてなるとともに、該被覆繊維面どうしの幅方向両側が縫着されて該幅方向両側に縫着部を備え、前記除塵用繊維群は前記袋状芯に用いられている多数本の繊維とされ、前記縫着部の間の距離が前記取付部の幅に略等しく設定されたことを特徴としている。
【０００９】
上記構成のように、柄部材の取付部が清掃部材の袋状芯に挿抜可能であるから、清掃部材を取付部から取外して洗うことができ、袋状芯は繊維でなり、袋状芯を構成する被覆繊維面の幅方向両側に形成された縫着部の間の距離が取付部の幅に略等しく設定されていることにより、清掃部材を繰返して洗っても、取付部を袋状芯に挿入すると、繊維との摩擦により、清掃部材が取付部に対し確実に取付けられる。
【００１０】
本発明の除塵具では、前記一対の被覆繊維面は、帯状に形成された袋状芯予定繊維面がその長手方向途中部で折曲げられた状態の構成を採用できる。
【００１１】
上記構成のように、袋状芯が、帯状に形成された袋状芯予定繊維面を折曲げてなることで、袋状芯の長手方向一方側は閉じられる。
【００１２】
本発明の除塵具では、前記挿抜用開口において、一対の前記被覆繊維面は互いに長手方向に位置ずれされた構成を採用できる。
【００１３】
上記構成のように、挿抜用開口において、一対の被覆繊維面が互いに長手方向に位置ずれしていれば、挿抜用開口における一対の被覆繊維面のうちの一方に、柄部材の取付部を沿わせるようにすれば、袋状芯に取付部を挿入し易い。
【００１４】
本発明の除塵具では、前記袋状芯を構成する多数本の繊維が幅方向端部で起毛された状態で前記除塵用繊維群が形成され、該除塵用繊維群は、前記袋状芯を幅方向両側から覆うことのできる毛足とされた構成を採用できる。
【００１５】
上記構成のように、除塵用繊維群が袋状芯を覆うことで、除塵具の姿勢にとらわれることなく除塵できる。
【発明の効果】
【００１６】
本発明によれば、清掃部材が柄部材から取外されて繰返し洗われたとしても、清掃部材が柄部材に確実に取付けられるから、使用中に柄部材から清掃部材が外れることを抑制できる
【図面の簡単な説明】
【００１７】
【図１】本発明の一実施形態に係る除塵具において袋状芯に取付部を挿入する途中を表す斜視図である。
【図２】同清掃部材の単体平面図である。
【図３】同図２におけるＡ−Ａ線での概略断面図である。
【図４】同使用状態を表す全体斜視図である。
【発明を実施するための形態】
【００１８】
以下、本発明の一実施形態にかかる除塵具について、図面を参照して説明する。本実施形態に係る除塵具は、例えば、電化製品や家具等の物品を掃き掃除する際に用いられ、刷毛ともモップとも称される。
【００１９】
図１に示すように、除塵具１は、柄部材２と、図２に示すように、多数本の除塵用繊維からなる清掃部材３とを備えている。柄部材２は、使用者に把持される把持体部４と、清掃部材３を取付ける部分であって、把持体部４の長手方向に長い扁平な矩形板状に形成された取付部５とを備える。把持体部４は長手方向に伸縮可能とされ、取付部５は把持体部４に対して回動可能に連結されている。把持体部４には空気孔７ｂが形成されている。
【００２０】
取付部５は、長さＬおよび幅Ｂに比べて厚みｔが充分に薄い扁平な矩形に形成されている。幅Ｂに比べて長さＬのほうが充分に長く形成されている。取付部５の先端面は円弧状に形成されている。該先端面が円弧状に形成されていることにより、後述する清掃部材３の袋状芯６に挿入し易い形状となっている。取付部５は幅方向両側に突出する突部５ａを備えている。
【００２１】
清掃部材３は、袋状芯６と除塵用繊維群７とを備えている。除塵用繊維群７は、袋状芯６の幅方向両側に設けられていて、袋状芯６を構成する繊維を幅方向両側へ延長させることで形成されている。
【００２２】
すなわち、清掃部材３は、取付部５を挿抜可能としてその長手方向両側のうち、少なくとも一方に挿抜用開口８が形成された扁平な袋状芯６と、袋状芯６の幅方向の両端において袋状芯６を構成する繊維を延長して形成された除塵用繊維群７とを備えている。本実施形態では、袋状芯６の長手方向一方にのみ挿抜用開口８が形成されている。
【００２３】
袋状芯６は、取付部５の厚み方向で対向する一対の被覆繊維面１０，１１を備えている。一対の被覆繊維面１０，１１は、それぞれ多数本の繊維を幅方向に直交する方向である長手方向に並べてなるとともに、被覆繊維面１０，１１どうしの幅方向両側が縫着されて幅方向両側に、後述する芯形成用縫着部２２，２２を備えている。
【００２４】
袋状芯６は、一例として（１）被覆繊維面形成工程、（２）毛足揃え工程、（３）折曲げ工程、（４）縫着工程、（５）起毛工程の順で製造される。
【００２５】
（１）の被覆繊維面形成工程を詳述する。被覆繊維面形成工程は、袋状芯６となる帯状の被覆繊維面を形成する工程である。取付部５の幅方向に直交する方向である長手方向に並べられた除塵用繊維を、図３に示すように、多数本の繊維束１２からなる繊維束群となるよう縫着して、被覆繊維面が形成される。縫着部は複数本（少なくとも三本）形成されている。本実施形態では縫着部は五本形成されている。すなわち幅方向両側の、二本の端縫着部１３，１３と、端縫着部１３，１３の間の三本の中間縫着部１４である。
【００２６】
中間縫着部１４の間の二つの第一離間幅Ｌ１は、等しく設定されている。端縫着部１３，１３と、端縫着部１３，１３側の中間縫着部１４との間の第二離間幅Ｌ２は、第一離間幅Ｌ１に比べてわずかに小さく設定されている。端縫着部１３，１３は、繊維束１２を長手方向で二分するよう縫着されている。すなわち、端縫着部１３，１３は長手方向に隣合う繊維束１２に亘るよう縫着されている。
【００２７】
（２）の毛足揃え工程を詳述する。毛足揃え工程は、被覆繊維面に対しその幅方向両側端（端縫着部１３，１３）から幅方向外方へ突出している除塵用繊維の毛足を切断し、毛足を整える工程である。毛足は、被覆繊維面（袋状芯６）を幅方向両側から覆うことのできる長さに整えられる。
【００２８】
（３）の折曲げ工程を詳述する。折曲げ工程は、被覆繊維面を長手方向途中部分で折曲げる工程である。折曲げ工程により、被覆繊維面は、取付部５の厚み方向で対向する一対の被覆繊維面１０，１１を備えた形態となる。この折曲げ工程では、一対の被覆繊維面１０，１１の長手方向他方側端２０，２１を、長手方向に位置ずれさせておく。位置ずれさせた被覆繊維面１０，１１の長手方向他方側端２０，２１において、被覆繊維面１０，１１に対しその幅方向両側端から幅方向外方へ突出している除塵用繊維は、他の領域の除塵用繊維に比べて毛足を短く切断される。
【００２９】
（４）の縫着工程を詳述する。縫着工程は、被覆繊維面１０，１１の幅方向両側を縫着して袋状芯６とする工程である。被覆繊維面１０，１１の幅方向両側には、芯形成用縫着部２２，２２が形成される。芯形成用縫着部２２，２２は、端縫着部１３，１３に隣接して端縫着部１３，１３に対して幅方向外方に形成される。芯形成用縫着部２２，２２と、これに幅方向内方にあって芯形成用縫着部２２，２２に最も近い中間縫着部１４との離間寸法は、第一離間幅Ｌ１である。芯形成用縫着部２２，２２の間の距離は取付部５の幅に略等しく設定されている。袋状芯６が、帯状に形成された被覆繊維面１０，１１を折曲げてなることで、袋状芯６の長手方向一方側は閉じられる。
【００３０】
（５）の起毛工程を詳述する。起毛工程は、被覆繊維面１０，１１に対しその幅方向両側端から幅方向外方へ突出している除塵用繊維を起毛させる工程である。これに対し被覆繊維面１０，１１は、縫着されて束ねられているから起毛できない領域である。
【００３１】
以上のようにして製造された清掃部材３は、取付部５を挿抜可能としてその長手方向両側のうち、少なくとも一方に挿抜用開口８が形成された扁平な袋状芯６と、袋状芯６の幅方向の両端において袋状芯６を構成する繊維を延長して形成された除塵用繊維群７とを備えている。
【００３２】
上記構成のように、柄部材２の取付部５が清掃部材３の袋状芯６に挿抜可能であるから、清掃部材３を取付部５から取外して洗うことができる。
【００３３】
袋状芯６は繊維でなり、袋状芯６を構成する被覆繊維面１０，１１の幅方向両側に形成された芯形成用縫着部２２，２２の間の距離が取付部５の幅に略等しく設定されている。これにより、清掃部材３を繰返して洗っても、取付部５を袋状芯６に挿入すると、繊維との摩擦により、清掃部材３が取付部５に対し確実に取付けられる。また、繊維と突部５ａとの摩擦により、取付部５から清掃部材３が外れにくい。
【００３４】
一対の被覆繊維面１０，１１の長手方向他方側端２０，２１は、長手方向に位置ずれしている。挿抜用開口８において、一対の被覆繊維面１０，１１が互いに長手方向に位置ずれしていれば、挿抜用開口８における一対の被覆繊維面１０，１１のうちの一方に、柄部材２の取付部５を沿わせるようにすれば、袋状芯６に取付部５を挿入し易い。また、位置ずれさせた被覆繊維面１０，１１の長手方向他方側端２０，２１において、被覆繊維面１０，１１に対しその幅方向両側端から幅方向外方へ突出している除塵用繊維は、他の領域の除塵用繊維に比べて毛足を短く切断される。このため、袋状芯６へ取付部５を挿入する際に、除塵用繊維が邪魔しない。
【００３５】
除塵用繊維群７は、袋状芯６を幅方向で覆うことのできる毛足とされている。このため、除塵用繊維群７が袋状芯６を覆うことができ、図４に示すように、除塵用繊維群７を直方体形状や円柱状とすることができるから、袋状芯６を用いることなく（袋状芯６を露出させることなく）除塵用繊維群７の全域を用いて除塵作業ができる。
【００３６】
端縫着部１３，１３は長手方向に隣合う繊維束１２に亘るよう縫着されている。このため、繊維束１２どうしが、いっそう強固に一体化されており、繊維どうしがほつれにくく、清掃部材３を繰返して洗ったとしても、長期的使用に耐え得る。
【００３７】
本発明は上記実施形態に限定されない。例えば、一対の被覆繊維面１０，１１の挿抜用開口８部分において、各被覆繊維面１０，１１を厚み方向に折返す構成としてもよい。このようにすれば、挿抜用開口８部分に相当する被覆繊維面１０，１１の長手方向他方側端２０，２１を補強することができるとともに、折返し部分をガイドとして取付部５を挿入し易くなる。
【００３８】
上記実施形態では、袋状芯６の長手方向一方にのみ挿抜用開口８が形成された場合を例示した。しかしながら、被覆繊維面を長手方向途中部分で折曲げる工程の代わりに、袋状芯６となる一対で別体の被覆繊維面を準備しておき、両者を芯形成用縫着部２２，２２によって一体化することもできる。この場合では、袋状芯６の長手方向一方にのみ挿抜用開口８が形成され、取付部５を、何れの挿抜用開口８からでも挿入することができる。
【符号の説明】
【００３９】
１…除塵具、２…柄部材、３…清掃部材、４…把持体部、５…取付部、５ａ…突部、６…袋状芯、７…除塵用繊維群、８…挿抜用開口、１０，１１…被覆繊維面、１２…繊維束、１３，１３…端縫着部、１４…中間縫着部、２０，２１…長手方向他方側端、２２，２２…芯形成用縫着部、Ｌ１…第一離間幅、Ｌ２…第二離間幅
【図１】
0006722465.tif 000002
【図２】
0006722465.tif 000003
【図３】
0006722465.tif 000004
【図４】
0006722465.tif 000005